(57)【要約】【課題】画像データの補正処理や駆動信号の制御を行うことで、明るい画素のピーク輝度を高くしつつ、背景の黒の輝度段差を緩和する画像表示装置及びその駆動方法を提供する。【解決手段】水平走査期間推測部１で画像データから複数の走査配線から選択された走査配線に走査選択信号を供給する実際の水平走査期間を推測し、ＭＡＸ_Ｈ部２で推測された実際の水平走査期間の中で最も大きい最大水平走査期間を算出し、ＭＡＸ_Ｈ差分値算出部４で最大水平走査期間と実際の水平走査期間との差分値を算出し、補正データ算出部６で差分値に基づいて補正データを算出し、合成部７で補正データを画像データに反映させ補正画像データを算出し、リミッタ１４で補正画像データの上限値を予め決められた値に制限し、この補正画像データに基づいて実際の水平走査期間および表示パネル１２に入力する入力画像データを算出する。【選択図】図１
2009163097.tif 000002
【特許請求の範囲】
【請求項１】
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間の中で最も大きい最大水平走査期間を算出する最大期間算出手段と、
前記最大期間算出手段で算出された最大水平走査期間と、前記期間推測手段で推測された前記実際の水平走査期間との差分値を算出する差分値算出手段と、
前記差分値算出手段で算出された差分値に基づいて補正データを算出する補正データ算出手段と、
前記補正データ算出手段で算出された補正データを画像データに反映させ補正画像データを算出する合成手段と、
前記合成手段で算出された補正画像データの上限値を予め決められた値に制限する制限手段と、
を備え、
前記制限手段で上限値が制限された補正画像データを前記期間算出手段に入力することを特徴とする画像表示装置。
【請求項２】
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間の中で最も大きい最大水平走査期間を算出する最大期間算出手段と、
前記最大期間算出手段で算出された最大水平走査期間と、前記期間推測手段で推測された前記実際の水平走査期間との差分値を算出する差分値算出手段と、
前記差分値算出手段で算出された差分値に基づいて補正電圧値を算出する補正電圧値算出手段と、
前記補正電圧値算出手段で算出された補正電圧値に基づいて、前記走査配線に供給される走査選択信号の電圧を補正電圧値分だけ加算すると共に前記変調配線に供給される変調信号の電圧を補正電圧値分だけ減算する電圧制御手段と、
を備えることを特徴とする画像表示装置。
【請求項３】
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記実際の水平走査期間の中で最も大きい最大水平走査期間を算出する最大期間算出手段と、
前記最大期間算出手段で算出された最大水平走査期間と、前記期間算出手段で算出された前記実際の水平走査期間との差分値を算出する差分値算出手段と、
前記差分値算出手段で算出された差分値に基づいて補正データを算出する補正データ算出手段と、
前記補正データ算出手段で算出された補正データを画像データに反映させ補正画像データを算出する合成手段と、
前記期間算出手段で算出された前記調整値を前記合成手段で算出された補正画像データに反映させて入力画像データを算出する調整手段と、
前記調整手段で算出された入力画像データの上限値を予め決められた値に制限する制限手段と、
を備えることを特徴とする画像表示装置。
【請求項４】
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間から各走査配線の黒輝度を算出する黒輝度算出手段と、
前記黒輝度算出手段で算出された各走査配線の黒輝度を保存する黒輝度保存手段と、
各走査配線についてその前後の走査配線と黒輝度を比較し、前後どちらか一方の走査配線との間で予め設定された値以上の輝度差がある走査配線にフラグを付与するフラグ付与手段と、
各走査配線と前記フラグが付与された走査配線との距離を計算する距離計算手段と、
前記黒輝度保存手段から読み出した各走査配線の黒輝度、及び前記距離計算手段で算出された各走査配線と前記フラグが付与された走査配線との距離に基いて、各走査配線の目標黒輝度を算出し、前記黒輝度算出手段で算出された前記黒輝度と前記目標黒輝度との輝度差を算出する目標輝度決定手段と、
前記目標輝度決定手段で算出された輝度差から補正データを算出する補正データ算出手段と、
前記補正データ算出手段で算出された補正データを画像データに反映させ補正画像データを算出する合成手段と、
前記合成手段で算出された補正画像データの上限値を予め決められた値に制限する制限手段と、
を備え、
前記制限手段で上限値が制限された補正画像データを前記期間算出手段に入力することを特徴とする画像表示装置。
【請求項５】
前記合成手段は、補正データを画像データに加算することで補正画像データを算出することを特徴とする請求項１、３又は４に記載の画像表示装置。
【請求項６】
画像データを遅延させる遅延手段を備えることを特徴とする請求項１、２又は４に記載の画像表示装置。
【請求項７】
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間の中で最も大きい最大水平走査期間を算出する工程と、
算出された最大水平走査期間と、推測された前記実際の水平走査期間との差分値を算出する工程と、
算出された差分値に基づいて補正データを算出する工程と、
算出された補正データを画像データに反映させ補正画像データを算出する工程と、
算出された補正画像データの上限値を予め決められた値に制限する工程と、
垂直走査期間内の各水平走査期間における上限値が制限された補正画像データの最大値を垂直走査期間内の全てについて足した総和が、垂直走査期間と略等しくなるように調整する調整値を算出し、当該調整値を垂直走査期間内の各水平走査期間における上限値が制限された補正画像データの最大値に乗算して前記実際の水平走査期間を算出する工程と、
前記調整値を上限値が制限された補正画像データに反映させて入力画像データを算出する工程と、
前記実際の水平走査期間毎に、前記選択された走査配線に走査選択信号を供給する工程と、
前記実際の水平走査期間毎に、前記複数の変調配線に入力画像データに応じて変調された変調信号を供給する工程と、
を備えることを特徴とする画像表示装置の駆動方法。
【請求項８】
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間の中で最も大きい最大水平走査期間を算出する工程と、
算出された最大水平走査期間と、推測された前記実際の水平走査期間との差分値を算出
する工程と、
算出された差分値に基づいて補正電圧値を算出する工程と、
算出された補正電圧値に基づいて、前記走査配線に供給される走査選択信号の電圧を補正電圧値分だけ加算すると共に前記変調配線に供給される変調信号の電圧を補正電圧値分だけ減算する工程と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記実際の水平走査期間を算出する工程と、
算出された前記調整値を画像データに反映させて入力画像データを算出する工程と、
前記実際の水平走査期間毎に、前記選択された走査配線に補正電圧値分が加算された走査選択信号を供給する工程と、
前記実際の水平走査期間毎に、前記複数の変調配線に入力画像データに応じて変調され補正電圧値分が減算された変調信号を供給する工程と、
を備えることを特徴とする画像表示装置の駆動方法。
【請求項９】
複数の走査配線と複数の変調配線とを有する表示器を備える画像表示装置の駆動方法であって、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記複数の走査配線から選択された走査配線に走査選択信号を供給する実際の水平走査期間を算出する工程と、
算出された前記実際の水平走査期間の中で最も大きい最大水平走査期間を算出する工程と、
算出された最大水平走査期間と、算出された前記実際の水平走査期間との差分値を算出する工程と、
算出された差分値に基づいて補正データを算出する工程と、
算出された補正データを画像データに反映させ補正画像データを算出する工程と、
算出された前記調整値を算出された補正画像データに反映させて入力画像データを算出する工程と、
算出された入力画像データの上限値を予め決められた値に制限する工程と、
前記実際の水平走査期間毎に、前記選択された走査配線に走査選択信号を供給する工程と、
前記実際の水平走査期間毎に、前記複数の変調配線に上限値が制限された入力画像データに応じて変調された変調信号を供給する工程と、
を備えることを特徴とする画像表示装置の駆動方法。
【請求項１０】
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間から各走査配線の黒輝度を算出する工程と、
算出された各走査配線の黒輝度を保存する工程と、
各走査配線についてその前後の走査配線と黒輝度を比較し、前後どちらか一方の走査配線との間で予め設定された値以上の輝度差がある走査配線にフラグを付与する工程と、
各走査配線と前記フラグが付与された走査配線との距離を計算する工程と、
読み出した各走査配線の黒輝度、及び算出された各走査配線と前記フラグが付与された走査配線との距離に基いて、各走査配線の目標黒輝度を算出し、算出された前記黒輝度と前記目標黒輝度との輝度差を算出する工程と、
算出された輝度差から補正データを算出する工程と、
算出された補正データを画像データに反映させ補正画像データを算出する工程と、
算出された補正画像データの上限値を予め決められた値に制限する工程と、
垂直走査期間内の各水平走査期間における上限値が制限された補正画像データの最大値を垂直走査期間内の全てについて足した総和が、垂直走査期間と略等しくなるように調整する調整値を算出し、当該調整値を垂直走査期間内の各水平走査期間における上限値が制限された補正画像データの最大値に乗算して前記実際の水平走査期間を算出する工程と、
前記調整値を上限値が制限された補正画像データに反映させて入力画像データを算出する工程と、
前記実際の水平走査期間毎に、前記選択された走査配線に走査選択信号を供給する工程と、
前記実際の水平走査期間毎に、前記複数の変調配線に入力画像データに応じて変調された変調信号を供給する工程と、
を備えることを特徴とする画像表示装置の駆動方法。
【発明の詳細な説明】
【技術分野】
【０００１】
本発明は、電子放出素子、エレクトロルミネッセンス（ＥＬ）素子、ＬＥＤ素子などの表示素子をマトリクス状に配置した表示器を搭載する画像表示装置及び画像表示装置の駆動方法に関する。
【背景技術】
【０００２】
以下、蛍光体を発光させて画像を形成する自発光型の表示器を例に挙げて説明する。この種の表示器では、電子放出素子などから放出された電子などの粒子のエネルギを利用して蛍光体を励起するが、この蛍光体を励起する励起強度および／または励起時間によって明るさが変わる。このような表示器は、特許文献１〜４等に開示されている。ここでは特に画素に冷陰極素子として表面伝導型放出素子を用いた場合における素子の放出電流Ｉｅ対駆動電圧Ｖｄ特性および素子電流Ｉｆ対駆動電圧Ｖｄ特性を図２３に示しておく。
【０００３】
ところで、複数の行配線（走査配線）と複数の列配線（変調配線）とからなるマトリクス配線に供給する信号を制御して、マトリクス状に配置された複数の表示素子を駆動する駆動方法がある。図２４は前述した表示器を駆動するための駆動信号の１つの例を示し、図２５はその駆動信号により駆動される３行３列のマトリクスの表示器の表示状態を示している。図２５中、○で囲まれた数値は輝度レベルを示している。
【０００４】
ここでは、１フレームの画像を表示するための１つの垂直走査期間は、３つの水平走査期間からなり、Ｓｙ１，Ｓｙ２，Ｓｙ３はそれぞれに供給される走査選択信号を示している。ここでは各走査配線において、負の電圧が印加される選択時間が水平走査期間となっている。そして全ての走査配線において、各選択期間は一定の値になっている。
【０００５】
Ｓｘ１，Ｓｘ２，Ｓｘ３はそれぞれ変調配線に供給される変調信号（データ信号）を示している。ここでは、画素の輝度レベル（階調レベル）に応じてパルス幅を変調するパルス幅変調方式の例を示している。変調信号Ｓｘ１は表示すべき輝度レベルが１，１，３の順であり、これが変調配線に時系列に供給される。同様に、変調信号Ｓｘ２は表示すべき輝度レベルが１，２，２の信号であり、変調信号Ｓｘ３は表示すべき輝度レベルが１，１，１の信号である。
【０００６】
こうして走査配線を順次選択しながら、各水平走査期間において、選択された輝度を定める。ここでは、輝度レベル３の点灯を行う３行目１列目上の画素が最も明るくなる。
【０００７】
このような表示器のパルス幅変調方式の駆動方法において、不必要な期間の発生を抑制することで、表示する画像のピーク輝度を大きくし、良好な画像を得る駆動方法が提案されている（特許文献５参照）。
【０００８】
特許文献５に記載の駆動方法の１例を図２６に示す。Ｓｈｙ１，Ｓｈｙ２，Ｓｈｙ３，Ｓｈｘ１，Ｓｈｘ２，Ｓｈｘ３は、図２４と同じ画像信号に対して特許文献５の駆動方法を適用して算出した新たな走査選択信号および変調信号を示す。
【０００９】
図２４の駆動方法では、３行目に一番明るい画素があり、３行目では、選択されている水平走査期間において変調信号Ｓｘ１が全期間供給されている。これに対しそれ以外の１行目、２行目では、選択されている水平走査期間においていずれの変調信号も供給されず変調電圧が０Ｖの期間がある。
【００１０】
変調電圧が０Ｖの間は素子が駆動されず点灯しないときであり、特許文献５に記載の駆動方法では、まず変調電圧が０Ｖの期間を、その走査ラインにとって不必要な時間と判断する。そして各走査ラインの不必要な時間を集める。不必要な時間を集めた後に、明るく点灯する画素がある列に集めた時間を多く分配して、伸張した新しい水平走査期間を設定し、その伸張分画像データも伸張する。また明るく点灯する画素がある列以外の列にも時間を配分し、配分した時間分だけ画像データも伸張する。従って、全体的に画像データが伸張されて駆動されることになる。そのため明るい画素をより明るく表示するだけでなく、さらには全体的に明るく表示することが可能となり、好ましい画像を得ることができる。本明細書では、上記の特許文献５に記載の駆動方法を高輝度化駆動方法とする。
【特許文献１】特開平０７−２３５２５６号公報
【特許文献２】特開平０８−０４５４１５号公報
【特許文献３】特開２０００−０２９４３５号公報
【特許文献４】特開平０８−２４８９２０号公報
【特許文献５】特許第３８７０１２９号公報
【発明の開示】
【発明が解決しようとする課題】
【００１１】
特許文献５に記載の高輝度化駆動方法では、明るい画素をより明るく且つ全体的により明るく表示することができる。図２７に示すように、真中は矩形の白い画像を表示し背景が黒の画像を表示すると、白い矩形領域４０では、高輝度化駆動方法を用いる前と後では、高輝度化駆動方法を用いた後のほうがより明るくなる。しかしながら、白い矩形領域４０がある走査ラインの白い矩形領域４０の左右両側の黒の部分が、灰色で示す領域４１のように薄暗く点灯してしまう。そのため、灰色で示す領域４１と白い矩形領域４０の無い他の走査ラインの黒の領域とで輝度段差が発生する課題があった。
【００１２】
この課題の原因を、冷陰極素子を用いた図２３に示す素子電流Ｉｆ対駆動電圧Ｖｄ特性の場合を挙げて説明する。走査電圧と変調電圧を足した駆動電圧をＶｄとし、走査電圧がその半分の＋０．５Ｖｄとする。図２３に示す特性では走査電圧＋０．５Ｖｄが印加されただけでは、素子電流Ｉｆはほぼ０である。しかしながら、実際には０ではなく、わずかながら素子電流Ｉｆは流れる。素子電流Ｉｆがわずかながら流れると、わずかながら放出電流Ｉｅが流れる。そのため、画像データが０のとき、すなわち点灯されない画素においても、走査電圧が印加されると、走査電圧が印加された画素はわずかではあるが点灯する。
【００１３】
また図２７の白い矩形領域４０がある走査ラインと白い矩形領域４０の無い走査ラインとでは、水平走査期間が白い矩形領域４０がある走査ラインの方が長く、白い矩形領域４０の無い走査ラインの方が短くなっている。従って、走査電圧が印加される時間が白い矩形領域４０がある走査ラインの方が長いので、灰色で示す領域４１が印加される走査電圧でわずかに点灯する輝度レベルが高くなり、よりはっきりとした輝度段差が発生してしまう。
【００１４】
本発明の目的は、画像データの補正処理や駆動信号の制御を行うことで、明るい画素のピーク輝度を高くしつつ、背景の黒の輝度段差を緩和する画像表示装置及びその駆動方法を提供することにある。
【課題を解決するための手段】
【００１５】
本発明にあっては、以下の構成を採用する。すなわち、本発明は、
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間の中で最も大きい最大水平走査期間を算出する最大期間算出手段と、
前記最大期間算出手段で算出された最大水平走査期間と、前記期間推測手段で推測された前記実際の水平走査期間との差分値を算出する差分値算出手段と、
前記差分値算出手段で算出された差分値に基づいて補正データを算出する補正データ算出手段と、
前記補正データ算出手段で算出された補正データを画像データに反映させ補正画像データを算出する合成手段と、
前記合成手段で算出された補正画像データの上限値を予め決められた値に制限する制限手段と、
を備え、
前記制限手段で上限値が制限された補正画像データを前記期間算出手段に入力することを特徴とする画像表示装置である。
【００１６】
本発明にあっては、以下の構成を採用する。すなわち、本発明は、
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間の中で最も大きい最大水平走査期間を算出する最大期間算出手段と、
前記最大期間算出手段で算出された最大水平走査期間と、前記期間推測手段で推測された前記実際の水平走査期間との差分値を算出する差分値算出手段と、
前記差分値算出手段で算出された差分値に基づいて補正電圧値を算出する補正電圧値算出手段と、
前記補正電圧値算出手段で算出された補正電圧値に基づいて、前記走査配線に供給される走査選択信号の電圧を補正電圧値分だけ加算すると共に前記変調配線に供給される変調信号の電圧を補正電圧値分だけ減算する電圧制御手段と、
を備えることを特徴とする画像表示装置である。
【００１７】
本発明にあっては、以下の構成を採用する。すなわち、本発明は、
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記実際の水平走査期間の中で最も大きい最大水平走査期間を算出する最大期間算出手段と、
前記最大期間算出手段で算出された最大水平走査期間と、前記期間算出手段で算出された前記実際の水平走査期間との差分値を算出する差分値算出手段と、
前記差分値算出手段で算出された差分値に基づいて補正データを算出する補正データ算出手段と、
前記補正データ算出手段で算出された補正データを画像データに反映させ補正画像データを算出する合成手段と、
前記期間算出手段で算出された前記調整値を前記合成手段で算出された補正画像データに反映させて入力画像データを算出する調整手段と、
前記調整手段で算出された入力画像データの上限値を予め決められた値に制限する制限手段と、
を備えることを特徴とする画像表示装置である。
【００１８】
本発明にあっては、以下の構成を採用する。すなわち、本発明は、
複数の走査配線と複数の変調配線とを有する表示器と、
水平走査期間毎に、前記複数の走査配線から選択された走査配線に走査選択信号を供給する走査駆動手段と、
水平走査期間毎に、前記複数の変調配線に画像データに応じて変調された変調信号を供給する変調駆動手段と、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記選択された走査配線に走査選択信号を供給する実際の水平走査期間を算出する期間算出手段と、
前記期間算出手段で算出された前記調整値を画像データに反映させる調整手段と、
を備える画像表示装置において、
入力された画像データから前記期間算出手段で算出される前記実際の水平走査期間を推測する期間推測手段と、
前記期間推測手段で推測された前記実際の水平走査期間から各走査配線の黒輝度を算出する黒輝度算出手段と、
前記黒輝度算出手段で算出された各走査配線の黒輝度を保存する黒輝度保存手段と、
各走査配線についてその前後の走査配線と黒輝度を比較し、前後どちらか一方の走査配線との間で予め設定された値以上の輝度差がある走査配線にフラグを付与するフラグ付与手段と、
各走査配線と前記フラグが付与された走査配線との距離を計算する距離計算手段と、
前記黒輝度保存手段から読み出した各走査配線の黒輝度、及び前記距離計算手段で算出された各走査配線と前記フラグが付与された走査配線との距離に基いて、各走査配線の目
標黒輝度を算出し、前記黒輝度算出手段で算出された前記黒輝度と前記目標黒輝度との輝度差を算出する目標輝度決定手段と、
前記目標輝度決定手段で算出された輝度差から補正データを算出する補正データ算出手段と、
前記補正データ算出手段で算出された補正データを画像データに反映させ補正画像データを算出する合成手段と、
前記合成手段で算出された補正画像データの上限値を予め決められた値に制限する制限手段と、
を備え、
前記制限手段で上限値が制限された補正画像データを前記期間算出手段に入力することを特徴とする画像表示装置である。
【００１９】
本発明にあっては、以下の構成を採用する。すなわち、本発明は、
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間の中で最も大きい最大水平走査期間を算出する工程と、
算出された最大水平走査期間と、推測された前記実際の水平走査期間との差分値を算出する工程と、
算出された差分値に基づいて補正データを算出する工程と、
算出された補正データを画像データに反映させ補正画像データを算出する工程と、
算出された補正画像データの上限値を予め決められた値に制限する工程と、
垂直走査期間内の各水平走査期間における上限値が制限された補正画像データの最大値を垂直走査期間内の全てについて足した総和が、垂直走査期間と略等しくなるように調整する調整値を算出し、当該調整値を垂直走査期間内の各水平走査期間における上限値が制限された補正画像データの最大値に乗算して前記実際の水平走査期間を算出する工程と、
前記調整値を上限値が制限された補正画像データに反映させて入力画像データを算出する工程と、
前記実際の水平走査期間毎に、前記選択された走査配線に走査選択信号を供給する工程と、
前記実際の水平走査期間毎に、前記複数の変調配線に入力画像データに応じて変調された変調信号を供給する工程と、
を備えることを特徴とする画像表示装置の駆動方法である。
【００２０】
本発明にあっては、以下の構成を採用する。すなわち、本発明は、
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間の中で最も大きい最大水平走査期間を算出する工程と、
算出された最大水平走査期間と、推測された前記実際の水平走査期間との差分値を算出する工程と、
算出された差分値に基づいて補正電圧値を算出する工程と、
算出された補正電圧値に基づいて、前記走査配線に供給される走査選択信号の電圧を補正電圧値分だけ加算すると共に前記変調配線に供給される変調信号の電圧を補正電圧値分だけ減算する工程と、
垂直走査期間内の各水平走査期間における画像データの最大値を垂直走査期間内の全て
について足した総和が、垂直走査期間と略等しくなるように調整する調整値を算出し、当該調整値を垂直走査期間内の各水平走査期間における画像データの最大値に乗算して前記実際の水平走査期間を算出する工程と、
算出された前記調整値を画像データに反映させて入力画像データを算出する工程と、
前記実際の水平走査期間毎に、前記選択された走査配線に補正電圧値分が加算された走査選択信号を供給する工程と、
前記実際の水平走査期間毎に、前記複数の変調配線に入力画像データに応じて変調され補正電圧値分が減算された変調信号を供給する工程と、
を備えることを特徴とする画像表示装置の駆動方法である。
【００２１】
本発明にあっては、以下の構成を採用する。すなわち、本発明は、
複数の走査配線と複数の変調配線とを有する表示器を備える画像表示装置の駆動方法であって、
垂直走査期間内の各水平走査期間における画像データの最大値を垂直走査期間内の全てについて足した総和が、垂直走査期間と略等しくなるように調整する調整値を算出し、当該調整値を垂直走査期間内の各水平走査期間における画像データの最大値に乗算して前記複数の走査配線から選択された走査配線に走査選択信号を供給する実際の水平走査期間を算出する工程と、
算出された前記実際の水平走査期間の中で最も大きい最大水平走査期間を算出する工程と、
算出された最大水平走査期間と、算出された前記実際の水平走査期間との差分値を算出する工程と、
算出された差分値に基づいて補正データを算出する工程と、
算出された補正データを画像データに反映させ補正画像データを算出する工程と、
算出された前記調整値を算出された補正画像データに反映させて入力画像データを算出する工程と、
算出された入力画像データの上限値を予め決められた値に制限する工程と、
前記実際の水平走査期間毎に、前記選択された走査配線に走査選択信号を供給する工程と、
前記実際の水平走査期間毎に、前記複数の変調配線に上限値が制限された入力画像データに応じて変調された変調信号を供給する工程と、
を備えることを特徴とする画像表示装置の駆動方法である。
【００２２】
本発明にあっては、以下の構成を採用する。すなわち、本発明は、
複数の走査配線と複数の変調配線とを有する表示器を備える画像表示装置の駆動方法であって、
入力された画像データから前記複数の走査配線から選択された走査配線に走査選択信号を供給する実際の水平走査期間を推測する工程と、
推測された前記実際の水平走査期間から各走査配線の黒輝度を算出する工程と、
算出された各走査配線の黒輝度を保存する工程と、
各走査配線についてその前後の走査配線と黒輝度を比較し、前後どちらか一方の走査配線との間で予め設定された値以上の輝度差がある走査配線にフラグを付与する工程と、
各走査配線と前記フラグが付与された走査配線との距離を計算する工程と、
読み出した各走査配線の黒輝度、及び算出された各走査配線と前記フラグが付与された走査配線との距離に基いて、各走査配線の目標黒輝度を算出し、算出された前記黒輝度と前記目標黒輝度との輝度差を算出する工程と、
算出された輝度差から補正データを算出する工程と、
算出された補正データを画像データに反映させ補正画像データを算出する工程と、
算出された補正画像データの上限値を予め決められた値に制限する工程と、
垂直走査期間内の各水平走査期間における上限値が制限された補正画像データの最大値
を垂直走査期間内の全てについて足した総和が、垂直走査期間と略等しくなるように調整する調整値を算出し、当該調整値を垂直走査期間内の各水平走査期間における上限値が制限された補正画像データの最大値に乗算して前記実際の水平走査期間を算出する工程と、
前記調整値を上限値が制限された補正画像データに反映させて入力画像データを算出する工程と、
前記実際の水平走査期間毎に、前記選択された走査配線に走査選択信号を供給する工程と、
前記実際の水平走査期間毎に、前記複数の変調配線に入力画像データに応じて変調された変調信号を供給する工程と、
を備えることを特徴とする画像表示装置の駆動方法である。
【発明の効果】
【００２３】
本発明によると、画像データの補正処理や駆動信号の制御を行うことで、明るい画素のピーク輝度を高くしつつ、背景の黒の輝度段差を緩和することができる。
【発明を実施するための最良の形態】
【００２４】
以下に図面を参照して、この発明の好適な実施例を例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２５】
＜実施例１＞
図１は、本実施例に係る表示装置１８の機能ブロック図である。本実施例における表示装置１８が本発明の画像表示装置に相当する。
【００２６】
図１に示す表示装置１８は、補正処理部１６と、高輝度化駆動方法で駆動される表示パネル部１７とで構成される。
【００２７】
補正処理部１６は、水平走査期間推測部１、ＭＡＸ_Ｈ部２、各ラインＨ保存部３、Ｍ
ＡＸ＿Ｈ差分値算出部４、制御部５、補正データ算出部６、合成部７、リミッタ１４、遅延回路１５を備える。
【００２８】
表示パネル部１７は、表示パネル１２、水平走査期間算出部８、タイミング制御部９、乗算部１０、変調駆動回路１１、走査駆動回路１３を備える。
【００２９】
入力画像信号としては、YCbCr，RGB等の画像データが入力される。本実施例で入力される画像データは１０bitのRGBの画像データとする。
【００３０】
なお、本実施例で想定される表示素子は、電子放出素子、エレクトロルミネッセンス（ＥＬ）素子、ＬＥＤ素子などである。本実施例の表示パネル１２は、従来技術で記述した電子放出素子から放出した電子により蛍光体を発光させて画像を形成する自発光型の表示器とするが、適用できる表示素子は上記に記載した素子に限定しない。そして表示パネル１２は、これらの素子が横Ｍ画素×縦Ｎラインのマトリクス状に配置されたマトリクス型表示器の表示パネルとする。本実施例ではＭ＝６およびＮ＝６の横６画素×縦６ラインとするが、各値はこれに限定するものではない。
【００３１】
以下各ブロックの動作について詳細に説明する。はじめに補正処理部１６に関する説明を行う。
【００３２】
水平走査期間推測部１は、特許文献５で記述されている高輝度化駆動方法によって算出される各走査ラインの新しい水平走査期間を推測する。本実施例の水平走査期間推測部１
が本発明の期間推測手段に相当する。
【００３３】
本実施例では、推測する水平走査期間を以下のように計算する。初めに各走査ラインの画像データの最大値を求める。ｉ（１≦ｉ≦Ｎ）ラインの画像データの最大値をＬｍａｘ（ｉ）とするとき、まずＬｍａｘ（ｉ）の値を仮の水平走査期間の長さとする。そしてＮラインの総和をＳとすると、Ｓは仮の１フレームの時間となる。すなわち、Ｓは、１つの垂直走査期間内の均等に水平走査期間が割り振られている時の各水平走査期間における画像データの最大値を垂直走査期間内の全てについて足した総和である。
【００３４】
Ｓは、
【数１】
2009163097.tif 000003
で算出できる。
【００３５】
高輝度化駆動方法を用いないで、均等に水平走査期間が割り振られている時の１水平走査期間の長さを１Ｈ（１Ｈは１０bitの画像データで１０２３の時に相当する。従って長
さ１Ｈ＝１０２３となり、最も画像データが大きい１０２３の時、１Ｈの期間の間点灯することになる）とするとき、１つの垂直走査期間である１フレームが経過するのにかかる時間はＮＨとなる。ＮＨとＳの関係はＮＨ≧Ｓとなり、ＮＨ＞Ｓの時は余りの時間があることを示している。そして、ＮＨ＞Ｓの時の余っている時間を割り振って新しい水平走査期間を算出する。すなわち、新しい水平走査期間は、ＮＨ＞Ｓの時のＳをＮＨと略等しくなるよう伸張するものである。
【００３６】
このため、まず、
【数２】
2009163097.tif 000004
を算出する。
【００３７】
そしてこのＧａｉｎを全てのＬｍａｘ（ｉ）に乗算し、ＫＨ（ｉ）＝Ｇａｉｎ×Ｌｍａｘ（ｉ）を、ｉラインの新しい水平走査期間とする。そしてこのＫＨ（ｉ）を、表示パネル部１７の水平走査期間算出部８で高輝度化駆動方法を用いて算出されると推測される新しい水平走査期間として、水平走査期間推測部１で算出する。なお、ここで用いられたＧａｉｎは後述する補正データ算出部６へ転送される。本実施例における新しい水平走査期間ＫＨ（ｉ）が本発明の推測される実際の水平走査期間に相当する。
【００３８】
本実施例ではＮ＝６である。また本実施例における各ラインの画像データの最大値Ｌｍａｘ（ｉ）を図２のように設定する。本実施例では、画像データの最大値が１Ｈである。式（１）より、Ｓ＝０．６Ｈ＋０．７Ｈ＋０．９Ｈ＋１Ｈ＋０．７Ｈ＋０．９Ｈ＝４．８Ｈとなる。またＮ＝６よりＮＨ＝６Ｈなので、Ｇａｉｎは式（２）より、Ｇａｉｎ＝６Ｈ／４．８Ｈ＝１．２５となる。このＧａｉｎをＬｍａｘ（ｉ）に乗算すると、ＫＨ（ｉ）が図３に示す値となる。従って図３に示すＫＨ（ｉ）の値が、高輝度化駆動方法を用いて算出されると推測できる新しい水平走査期間となる。
【００３９】
なお、高輝度化駆動方法で用いられる算出方法は、特許文献５に記載の方法であれば上記に限定されるものではない。また推測される新しい水平走査期間ＫＨ（ｉ）は、上記図３に限定するものでない。また推測される新しい水平走査期間ＫＨ（ｉ）は、水平走査期
間算出部８で用いられる算出方法に合わせるのが望ましいが、これに限定するものではない。
【００４０】
各ラインＨ保存部３は内部にメモリを備えており、水平走査期間推測部１で算出したＫＨ（ｉ）の値を各ラインＨ保存部３のメモリに保存する。本実施例においては、図３に示すＫＨ（ｉ）の値を保存する。
【００４１】
ＭＡＸ_Ｈ部２は、水平走査期間推測部１で推測した各走査ラインの水平走査期間の中
で最も長い最大水平走査期間ＭＡＸ_Ｈを算出する。本実施例では、図３に示すＫＨ（ｉ
）の値の中から最も長いものを算出すると、ＭＡＸ_Ｈ＝１．２５Ｈとなる。本実施例の
ＭＡＸ_Ｈ部２が本発明の最大期間算出手段に相当する。
【００４２】
ＭＡＸ_Ｈ差分値算出部４は、各ラインＨ保存部３から読み出した各走査ラインの水平
走査期間ＫＨ（ｉ）と、ＭＡＸ_Ｈ部２で算出した最大水平走査期間ＭＡＸ_Ｈとの差を算出する。すなわち、ＭＡＸ_ＨからＫＨ（ｉ）を減算して走査ラインごとの差分値を算出
する。本実施例における各走査ラインの差分値を図４に示す。図３に示すＫＨ（ｉ）の値より、４ライン目の値がＭＡＸ_Ｈの値なので、図４に示す４ライン目の差分値は０Ｈと
なる。本実施例のＭＡＸ_Ｈ差分値算出部４が本発明の差分値算出手段に相当する。
【００４３】
制御部５は、各ラインＨ保存部３で保存された各走査ラインの水平走査期間ＫＨ（ｉ）を読み出してＭＡＸ_Ｈ差分値算出部４へ転送するための、タイミング及び読み出しライ
ンの制御を行う。
【００４４】
ＭＡＸ_Ｈ部２で最大水平走査期間ＭＡＸ_Ｈを算出するためには、垂直走査期間である１フレームが過ぎてからしか算出できない。このため、制御部５は、１フレーム過ぎてから、各ラインＨ保存部３で保存された各走査ラインの水平走査期間ＫＨ（ｉ）を読み出してＭＡＸ_Ｈ差分値算出部４へ転送する。この転送のタイミングは、ＭＡＸ_Ｈ部２で算出された最大水平走査期間ＭＡＸ_ＨがＭＡＸ_Ｈ差分値算出部４へ転送されるタイミングに合わせられている。
【００４５】
制御部５は、垂直同期信号であるvsyncとhsyncによって、各ラインＨ保存部３で保存した各走査ラインの水平走査期間ＫＨ（ｉ）の読みだしと、次のフレームの各ラインＨ保存部３への水平走査期間ＫＨ（ｉ）の書き込みの制御を行う。
【００４６】
補正データ算出部６は、補正データhdataを算出する。高輝度化駆動方法を用いると走
査電圧の印加時間の差によって輝度段差が発生する。従って走査電圧の印加時間の差による輝度差を計測し、輝度差を画像データに変換することで、補正データを算出できる。本実施例では、補正データ算出部６は、ＭＡＸ_Ｈ差分値算出部４で算出した差分値から画
像データに加算する補正データhdataを算出する。本実施例の補正データ算出部６が本発
明の補正データ算出手段に相当する。
【００４７】
ここでは、まず仮補正データh’dataを差分値から算出するのにテーブルを用いる。図
５に仮補正データh’dataを算出するためのテーブルの特性を示す。図５に示すテーブル
は、横軸にＭＡＸ_Ｈ差分値算出部４で算出した差分値を示す時間をとり、縦軸に仮補正
データh’dataをとる。仮補正データh’dataは、画像データと同じ１０bitのデータとす
る。図５に示すテーブルから算出された各走査ラインの仮補正データh’dataは図６に示
すようになる。
【００４８】
なお、本実施例では仮補正データh’dataを算出するためにテーブルを用いたが、表示
素子の特性に応じて計算で算出してもよい。またテーブルの特性も、表示素子の特性に依
存することから、図５に示すものに限るものではない。
【００４９】
ここで実際には、表示パネル部１７の水平走査期間算出部８で算出されたＧａｉｎに相当する値（実際にはＤｇａｉｎ）を、乗算部１０で画像データに乗算する。水平走査期間算出部８で算出されるＧａｉｎに相当する値は水平走査期間推測部１で算出されるＧａｉｎとほぼ同等となることから、予め図５に示すテーブルから算出した仮補正データh’dataを水平走査期間推測部１で算出されたＧａｉｎで割算しておく。そして、仮補正データh’dataをＧａｉｎで割り算して算出した値を真の補正データhdataとして合成部７へ送る
。図６に示す仮補正データh’dataをＧａｉｎ（＝１．２５）で割り算すると、各走査ラ
インの真の補正データhdataは図７に示すようになる。
【００５０】
合成部７は、補正データ算出部６で算出した補正データhdataを画像データに加算して
補正画像データを算出する。すなわち、合成部７は、画像データに補正データhdataを反
映させている。RGBの全ての画像データに同じ補正データhdataを加算する。補正データhdataは、１ラインに１回算出されるので、１ライン全ての画像データに同じ補正データhdataが加算されることになる。なお、本実施例では同じ補正データhdataを加算したが、表
示パネル１２の表示特性に応じて、RGBの各画像データに異なった補正データを算出し、
加算するようにしてもよい。本実施例の合成部７が本発明の合成手段に相当する。
【００５１】
リミッタ１４は、合成部７で算出された補正画像データを所定値までのデータ量に上限値を制限する。本実施例では、画像データが１０bitであることから、補正画像データの
最大値も１０２３に制限する。なお、本実施例では最大値を１０２３にリミットしたが、リミットする値はこれに限定するものではない。本実施例のリミッタ１４が本発明の制限手段に相当する。
【００５２】
遅延回路１５は、合成部７において補正データhdataが元の画像データに加算できるよ
うに、画像データを遅延させる回路である。遅延回路１５はメモリを有しており、このメモリに元の画像データを一時保存し、補正データhdataが合成部７へ送られるタイミング
に合わせて後段の合成部７へ遅延回路１５のメモリに保存していた画像データを送る。本実施例の遅延回路１５が本発明の遅延手段に相当する。
【００５３】
次に高輝度化駆動方法で駆動する表示パネル部１７の説明を行う。
【００５４】
水平走査期間算出部８は、特許文献５に記載されている高輝度化駆動方法で、各走査ラインの新しい水平走査期間を計算する。本実施例では、水平走査期間推測部１で採用した計算方法を適用する。従って詳細な導出方法は割愛する。水平走査期間算出部８には、リミッタ１４でデータ量の上限値が制限された補正画像データが入力される。図８に補正画像データから求められる各走査ラインの補正画像データの最大値ＬＰｍａｘ（ｉ）を示す。本実施例の水平走査期間算出部８が本発明の期間算出手段に相当する。
【００５５】
図８に示す各走査ラインの補正画像データの最大値ＬＰｍａｘ（ｉ）から、式（１）で算出するＳはＳ＝０．６０３Ｈ＋０．７０２Ｈ＋０．９Ｈ＋１Ｈ＋０．７０２Ｈ＋０．９Ｈ＝４．８０７Ｈとなる。この結果、Ｓと１つの垂直走査期間である１フレームの総駆動時間６Ｈとの比の値をＤｇａｉｎとすると、Ｄｇａｉｎの算出方法は式（２）のＧａｉｎの算出方法と同じであることから、Ｄｇａｉｎ＝６Ｈ/４．８０７Ｈ≒１．２５となる。
このＤｇａｉｎが本発明の調整値に相当する。
【００５６】
このＤｇａｉｎを図８に示すＬＰｍａｘ（ｉ）に乗算して、新しい水平走査期間ＫＨＰ（ｉ）を決める。図９は本実施例における高輝度化駆動方法での新しい水平走査期間ＫＨＰ（ｉ）を示している。この水平走査期間ＫＨＰ（ｉ）が本発明の実際の水平走査期間に
相当する。
【００５７】
水平走査期間算出部８は、高輝度化駆動方法での新しい水平走査期間ＫＨＰ（ｉ）を算出し、その水平走査期間ＫＨＰ（ｉ）をタイミング制御部９へ転送する。同時に補正画像データを乗算部１０へ転送する。またＤｇａｉｎも乗算部１０へ転送する。
【００５８】
乗算部１０では、乗算部１０へ入力された補正画像データにＤｇａｉｎを乗算して入力画像データを算出する。すなわち、乗算部１０は、Ｄｇａｉｎを補正画像データに反映させている。伸張された水平走査期間ＫＨＰ（ｉ）まで補正画像データを伸張し、表示素子の駆動時間を長くすることで輝度を高めるためである。従って１０２３以上の値も許容し、算出された入力画像データは１０ｂｉｔを越える。但し、水平走査期間算出部８で決定された水平走査期間ＫＨＰ（ｉ）の長さは超えないようにする。なお、余った時間の分配方法は特許文献５に記載のいずれの方法でも良い。本実施例の乗算部１０が本発明の調整手段に相当する。
【００５９】
タイミング制御部９では、高輝度化駆動方法での新しい水平走査期間ＫＨＰ（ｉ）を受け取り、変調駆動回路１１および走査駆動回路１３に高輝度化駆動方法での新しい水平走査期間ＫＨＰ（ｉ）を設定する。
【００６０】
変調駆動回路１１は、水平走査期間算出部８で算出された水平走査期間毎に、乗算部１０で算出された入力画像データに応じてパルス幅を制御して表示パネル１２に変調信号の変調電圧として正の電圧を印加する。この際、変調駆動回路１１はタイミング制御部９により走査駆動回路１３と同期している。本実施例の変調駆動回路１１が本発明の変調駆動手段に相当する。
【００６１】
走査駆動回路１３では、水平走査期間算出部８で算出された水平走査期間毎に、水平走査期間ＫＨＰ（ｉ）に従って各走査ラインに所定の時間、走査選択信号の走査電圧として負の電圧を印加する。本実施例の走査駆動回路１３が本発明の走査駆動手段に相当する。
【００６２】
図１０に４ライン目の２つの画像データ及び５ライン目の２つの画像データ並びにそのときに表示パネル１２に印加される電圧を示す。図１０（ａ）は４ライン目に画像データdata(4-1)＝１０２３が入力された時を示している。図１０（ｂ）は４ライン目に画像デ
ータdata(4-2)＝０が入力された時を示している。図１０（ｃ）は５ライン目に画像デー
タdata(5-1)＝７１６が入力された時を示している。図１０（ｄ）は５ライン目に画像デ
ータdata(5-2)＝０が入力された時を示している。ここで、変調駆動回路１１から印加さ
れる変調電圧をＶｘ、走査駆動回路１３から印加される走査電圧を−Ｖｙとする。
【００６３】
図１０においては、それぞれの画像データは、Ｄｇａｉｎが乗算される。先に記述した通り本実施例ではＤｇａｉｎ＝１．２５であるので、入力画像データNdata(4-1)＝画像データdata(4-1)×Ｄｇａｉｎ＝１０２３×１．２５≒１２７９（≒１．２５Ｈ）となる。
また４ライン目の０の画像データdata（4-2）は入力画像データNdata（4-2）も０のまま
である。４ライン目では、補正データhdataが０であり加算されないので、画像データと
補正画像データとが同値である。
【００６４】
一方、５ライン目の画像データdata(5-1)＝７１６は、補正処理部１６で補正データhdataが２加算されて補正画像データLdata(5-1)＝７１８となり、この補正画像データLdata(5-1)＝７１８にＤｇａｉｎが乗算される。その結果、入力画像データNdata(5-1)＝補正画像データLdata(5-1)×Ｄｇａｉｎ＝７１８×１．２５≒８９８（≒０．８７６Ｈ）となる。また５ライン目の０の画像データdata(5-2)は、補正処理部１６で補正データhdataが２加算されて補正画像データLdata(5-2)＝２となり、この補正画像データLdata(5-2)＝２に
Ｄｇａｉｎが乗算される。その結果、入力画像データNdata(5-2)＝補正画像データLdata(5-2)×Ｄｇａｉｎ＝２×１．２５≒２（≒０．００２Ｈ）となる。
【００６５】
図１０に示すように、４ライン目の１０２３の画像データdata(4-1)は４ライン目の最
大値であり、５ライン目の７１６の画像データdata(5-1)は５ライン目の最大値である。
しかし、４ライン目の１０２３の画像データdata(4-1)の方が水平走査期間の伸張量は大
きく、明るい画像データはより明るくなることを示している。
【００６６】
また４ライン目での走査電圧の印加時間が１．２５Ｈであるのに対し、５ライン目での走査電圧の印加時間が０．８７８Ｈであり、４ライン目と５ライン目とでは走査電圧の印加時間が大きく異なる。ここで、４ライン目の０の画像データdata（4-2）と５ライン目
の０の画像データdata(5-2)は、共にデータ量としては０である。それにもかかわらず、
大きく異なる走査電圧の印加時間の影響により、４ライン目の０の画像データdata（4-2
）の方が明るく点灯しそうになる。しかし５ライン目では、その差を緩和するため、画像データに補正データhdataが加算される。このため、５ライン目でも０の画像データdata(5-2)であっても、わずかに変調電圧が印加され点灯する。これにより、走査電圧の印加時間が長い４ライン目と同等の輝度で５ライン目も点灯することになり、背景の黒の輝度段差が緩和される。
【００６７】
以上のような補正処理部１６および表示パネル部１７で構成される表示装置１８にて、画像の表示を確認した。すると、高輝度化駆動方法による、明るい部分はより明るく且つ全体的に明るくしつつ、背景の黒の輝度段差を緩和することができ、好適な表示画像を得ることができた。
【００６８】
また本実施例では、説明の簡略化のため、高輝度化駆動方法で駆動する表示パネル部１７と画像データに加算される補正データhdataを算出する補正処理部１６に分けて説明を
行った。しかし、各部中のブロックの所属はこれに限定するものではなく、さらには分けずに全て一体化しても良い。
【００６９】
また本実施例において、表示パネル１２の駆動方法は、高輝度化駆動方法を適用できるものであれば、これに限定するものではない。
【００７０】
＜実施例２＞
図１１は、本実施例に係る表示装置２７の機能ブロック図である。本実施例における表示装置２７が本発明の画像表示装置に相当する。
【００７１】
図１１に示す表示装置２７は、補正処理部２５と、高輝度化駆動方法で駆動される表示パネル部２６とで構成される。
【００７２】
補正処理部２５は、水平走査期間推測部１、ＭＡＸ_Ｈ部２、各ラインＨ保存部３、Ｍ
ＡＸ_Ｈ差分値算出部４、制御部５、加算電圧算出部２１、遅延回路１５を備える。
【００７３】
表示パネル部２６は、表示パネル１２、水平走査期間算出部８、タイミング・電圧制御部２４、乗算部１０、変調駆動回路２２、走査駆動回路２３を備える。
【００７４】
入力画像信号は、実施例１と同じである。また本実施例に適用できる表示素子、駆動方法についても実施例１と同じである。
【００７５】
以下各ブロックの動作について詳細に説明する。ここで実施例１と同様のブロックについては説明を割愛する。
【００７６】
加算電圧算出部２１では、ＭＡＸ_Ｈ差分値算出部４で算出した走査ラインごとの差分
値から、輝度段差を緩和するための補正用加算電圧hvdataを算出し、その補正用加算電圧hvdataの値を表示パネル部２６のタイミング・電圧制御部２４へ転送する。本実施例の加算電圧算出部２１が本発明の補正電圧値算出手段に相当し、補正用加算電圧hvdataが本発明の補正電圧値に相当する。
【００７７】
本実施例では加算電圧算出部２１において補正用加算電圧hvdataを算出するのにテーブルを用いる。図１２に補正用加算電圧hvdataを算出するためのテーブルの特性を示す。図１２に示すテーブルは、横軸にＭＡＸ_Ｈ差分値算出部４で算出した差分値を示す時間を
とり、縦軸に補正用加算電圧hvdataをとる。
【００７８】
なお、本実施例では補正用加算電圧hvdataを算出するためにテーブルを用いたが、表示素子の特性に応じて計算で算出してもよい。またテーブルの特性も、表示素子の特性に依存することから、図１２に示すものに限るものではない。
【００７９】
タイミング・電圧制御部２４は、加算電圧算出部２１から転送された補正用加算電圧hvdata、および水平走査期間算出部８から転送された高輝度化駆動方法での新しい水平走査期間ＫＨＰ（ｉ）により、変調駆動回路２２および走査駆動回路２３を制御する。本実施例のタイミング・電圧制御部２４が本発明の電圧制御手段に相当する。
【００８０】
本実施例では水平走査期間のタイミング制御は、実施例１と同様である。しかしながら、各ラインの走査電圧に補正用加算電圧hvdataが加算される。これにより、黒以外の画像データが入力される画素は、所定の駆動電圧（＝走査電圧＋変調電圧）より高い電圧（＝走査電圧＋補正用加算電圧hvdata＋変調電圧）が印加されることになる。またタイミング・電圧制御部２４では、走査電圧側に加算される補正用加算電圧hvdataと同じ電圧を、変調電圧側の電圧で下げるように変調駆動回路２２を制御する。すなわち、走査電圧を補正電圧値分だけ加算すると共に変調電圧を補正電圧値分だけ減算する。これにより、黒の画像データが入力される画素は変調電圧が印加されないため、補正用加算電圧hvdataが加算された走査電圧だけが印加される。またそれ以外の画素においては補正用加算電圧hvdataが加算された走査電圧と補正用加算電圧hvdataが減算された変調電圧とが印加される。このため、補正用加算電圧hvdataが加算された走査電圧と補正用加算電圧hvdataが減算された変調電圧とを足した駆動電圧は、補正前の駆動電圧と同じになる。
【００８１】
変調駆動回路２２は、タイミング・電圧制御部２４からのデータおよび乗算部１０からの入力画像データを受けて、水平走査期毎に、指示通りの電圧で入力画像データの大きさに応じて、表示パネル１２に変調信号の変調電圧を印加する。
【００８２】
走査駆動回路２３は、タイミング・電圧制御部２４からのデータを受けて、指示通りの電圧および指示通りの水平走査期間ＫＨＰ（ｉ）で、水平走査期間毎に、表示パネル１２に走査選択信号の走査電圧を印加する。
【００８３】
ここで実施例１と同様に、６×６のマトリクスで駆動する表示パネルで、各水平走査ラインのラインごとの最大値のデータが図２に示すような場合を例に考える。このとき、水平走査期間算出部８で算出されるＤｇａｉｎは、実施例１と同様にＤｇａｉｎ＝１．２５である。
【００８４】
４ライン目に画像データdata(4-3)＝１０２３が入力された時は、入力画像データNdata(4-3)＝画像データdata(4-3)×Ｄｇａｉｎ＝１０２３×１．２５≒１２７９（≒１．２５Ｈ）となる。また５ライン目に画像データdata(5-3)＝７１６が入力された時は、入力画
像データNdata(5-3)＝画像データdata(5-3)×Ｄｇａｉｎ＝７１６×１．２５＝８９５（
≒０．８７４Ｈ）となる。また４ライン目および５ライン目に０の画像データが入力された時は、Ｄｇａｉｎを乗算後の入力画像データも共に０のままである。本実施例では実施例１とは異なり補正データhdataが画像データに加算されないので、入力画像データは画
像データにＤｇａｉｎが乗算されたものとなる。
【００８５】
但しこの例では、補正用加算電圧hvdataは、図４に示すＭＡＸ_Ｈ差分値算出部４で算
出した差分値から図１２のテーブルを参照して、４ライン目では０Ｖ、５ライン目では＋０．３Ｖとなる。
【００８６】
タイミング・電圧制御部２４では、４ライン目は補正用加算電圧hvdataが０Ｖである。よって、変調電圧および走査電圧を変更無しで変調駆動回路２２および走査駆動回路２３に高輝度化駆動方法での新しい水平走査期間ＫＨＰ（ｉ）と共に入力画像データを転送する。
【００８７】
一方、タイミング・電圧制御部２４では、５ライン目は補正用加算電圧hvdataが＋０．３Ｖであるので、変調駆動回路２２には正の電圧である変調電圧を−０．３Ｖ減算し、走査駆動回路２３には負の電圧である走査電圧を−０．３Ｖ加算する。
【００８８】
図１３に４ライン目の２つの画像データ及び５ライン目の２つの画像データ並びにそのときに表示パネル１２に印加される電圧を示す。図１３（ａ）は４ライン目に画像データdata(4-3)＝１０２３が入力された時を示している。図１３（ｂ）は４ライン目に画像デ
ータdata(4-4)＝０が入力された時を示している。図１３（ｃ）は５ライン目に画像デー
タdata(5-3)＝７１６が入力された時を示している。図１３（ｄ）は５ライン目に画像デ
ータdata(5-4)＝０が入力された時を示している。ここで、変調駆動回路１１から印加さ
れる変調電圧をＶｘ、走査駆動回路１３から印加される走査電圧を−Ｖｙとする。
【００８９】
４ライン目では、補正用加算電圧hvdataが０であるので、変調電圧および走査電圧がＶｘ，−Ｖｙのままである。それに対し、５ライン目では、補正用加算電圧hvdataが＋０．３Ｖであるので、変調電圧は（Ｖｘ−０．３Ｖ）に変更されて印加され、走査電圧は−（Ｖｙ＋０．３Ｖ）に変更されて印加されている。そして、０の画像データが入力されて黒となる画素では、どのラインであっても変調電圧が印加されないため、５ライン目は駆動電圧＝−（Ｖｙ＋０．３Ｖ）となり、４ライン目は駆動電圧＝−Ｖｙとなる。このように、０の画像データが入力されて黒となる画素では、５ライン目の駆動電圧を高くすることで、走査電圧の印加時間が長い４ライン目と同等の輝度で５ライン目も点灯することになり、背景の黒の輝度段差が緩和される。
【００９０】
以上のような補正処理部２５および表示パネル部２６で構成される表示装置２７にて、画像の表示を確認した。すると、高輝度化駆動方法による、明るい部分はより明るく且つ全体的に明るくしつつ、背景の黒の輝度段差を緩和することができ、好適な表示画像を得ることができた。
【００９１】
また本実施例では、説明の簡略化のため、高輝度化駆動方法で駆動する表示パネル部２６と走査電圧に加算され且つ変調電圧に減算される補正用加算電圧hvdataを算出する補正処理部２５とに分けて説明を行った。しかし、各部中のブロックの所属はこれに限定するものではなく、さらには分けずに全て一体化しても良い。
【００９２】
＜実施例３＞
実施例１では、水平走査期間推測部１で推測した水平走査期間ＫＨ（ｉ）から、画像データに加算する黒輝度段差補正用の補正データhdataを算出し、その補正データhdataを画
像データに加算していた。本実施例では、水平走査期間算出部８で算出される実際の水平走査期間ＫＨＰ（ｉ）を保存し、その最大値と各走査ラインの水平走査期間の差分値から補正データhdataを算出する。
【００９３】
図１４は、本実施例に係る表示装置３８の機能ブロック図である。本実施例における表示装置３８が本発明の画像表示装置に相当する。
【００９４】
図１４に示す表示装置３８は、水平走査期間算出部８、ＭＡＸ_Ｈ部２、各ラインＨ保
存部３、ＭＡＸ_Ｈ差分値算出部４、補正データ算出部６、合成部７、乗算部１０、リミ
ッタ３４を備える。加えて表示装置３８は、表示パネル１２、タイミング制御部９、変調駆動回路１１、走査駆動回路１３を備える。なお、入力画像信号は、RGBおよびYCbCr等の画像信号でよい。
【００９５】
ＭＡＸ_Ｈ部２、各ラインＨ保存部３、ＭＡＸ_Ｈ差分値算出部４、補正データ算出部６、合成部７、乗算部１０は、本実施例では水平走査期間算出部８から算出した水平走査期間ＫＨＰ（ｉ）に対し処理を行う。この点、実施例１では水平走査期間推測部１から算出した水平走査期間ＫＨ（ｉ）に対し各部が処理を行っていた。なお、これら各部の処理は実施例１の場合と変わらないので、その説明は割愛する。
【００９６】
リミッタ３４には、補正データ算出部６で算出された補正データhdataが画像データに
加算された補正画像データに、乗算部１０でＤｇａｉｎが乗算された入力画像データが入力される。そして、リミッタ３４は、入力画像データを、水平走査期間算出部８で算出された水平走査期間ＫＨＰ（ｉ）の値までを上限値とするようリミットする。そのため、水平走査期間算出部８は、リミッタ３４に、高輝度化駆動方法で算出した新しい水平走査時間ＫＨＰ（ｉ）を転送する。本実施例のリミッタ３４が本発明の制限手段に相当する。
【００９７】
以上のように構成される表示装置３８にて、画像の表示を確認した。すると、実施例１と同様に、高輝度化駆動方法による、明るい部分はより明るく且つ全体的に明るくしつつ、背景の黒の輝度段差を緩和することができ、好適な表示画像を得ることができた。
【００９８】
なお、上記実施例において、補正データを画像データに加算して補正画像データを算出したが、補正データと画像データを乗算して補正画像データを算出してもよい。
【００９９】
＜実施例４＞
実施例１〜３では、背景の黒の領域にオフセット（補正データや補正用加算電圧）を加算して、画面領域全体の輝度を上げることで背景の黒の輝度段差を低減した。本実施例では、データが０の時の輝度を黒輝度と定義する。本実施例では、黒輝度段差を段階的に低減させることで、画面全体のコントラスト感を保持しつつ、黒輝度の走査ライン間の輝度段差をぼかすことで、妨害感を低減させる。
【０１００】
図１５は、本実施例に係る表示装置４８の機能ブロック図である。本実施例における表示装置４８が本発明の画像表示装置に相当する。
【０１０１】
図１５に示す表示装置４８は、補正処理部４６と、高輝度化駆動方法で駆動される表示パネル部１７とで構成される。
【０１０２】
補正処理部４６は、水平期間推測部１、黒輝度算出ＴＢＬ５１、各ライン黒輝度保存部５２、フラグ付与部５３、フラグ保存部５４、距離計算部５５、各ライン目標輝度決定部５６、補正データ算出用ＴＢＬ５７、補正データ算出部５８を備える。加えて、補正処理部４６は、実施例１と同様に、制御部５、合成部７、リミッタ１４、遅延回路１５を備え
る。
【０１０３】
表示パネル部１７は、実施例１と同じである。
【０１０４】
入力画像信号は、実施例１と同じである。また本実施例に適用できる表示素子、駆動方法についても実施例１と同じである。
【０１０５】
以下各ブロックの動作について詳細に説明する。ここで実施例１と同様のブロックについては説明を割愛する。
【０１０６】
黒輝度算出ＴＢＬ５１では、水平走査期間推測部１で算出された各走査ラインの新しい水平走査期間ＫＨ（ｉ）から、各走査ラインの黒輝度を算出するものであり、算出用の変換テーブルを格納している。図１６に、本実施例における黒輝度算出ＴＢＬ５１の変換テーブルを示す。横軸に水平走査期間の長さ、縦軸に黒輝度の値を示す。なお、黒輝度の値は規格化した値であり、輝度値そのものを示すものではない。黒輝度算出ＴＢＬ５１が本発明の黒輝度算出手段に相当する。
【０１０７】
各ライン黒輝度保存部５２では、黒輝度算出ＴＢＬ５１で算出された各走査ラインの黒輝度の値を保存する。各ライン黒輝度保存部５２が本発明の黒輝度保存手段に相当する。
【０１０８】
フラグ付与部５３では、各ライン黒輝度保存部５２から各走査ラインの黒輝度の値を読出して、所定の走査ラインの黒輝度の値とその前後の走査ラインの黒輝度の値とを比較する。例えば、ｉラインの黒輝度をＢ（ｉ）とすると、Ｂ（ｉ）をｉ−１ライン及びｉ＋１ラインの黒輝度の値Ｂ（ｉ−１）とＢ（ｉ＋１）と比較する。ｄＢを黒輝度の輝度段差を段階的に無くす際の、輝度の傾きとする。ｄＢは予め設定された値であり、この値以上の輝度差があるような、Ｂ（ｉ）―Ｂ（ｉ−１）＞ｄＢあるいはＢ（ｉ）―Ｂ（ｉ＋１）＞ｄＢの場合、フラグ保存部５４に「１」の信号を送る。そして、当該ｉラインにフラグを付ける。それ以外の場合はフラグ保存部５４に「０」を送る。図１７に示すような画像例の場合、黒輝度算出ＴＢＬ５２で算出された各走査ラインの黒輝度の分布は図１８に示すようになる。なお本実施例では説明の簡略化のため、垂直６０ラインで構成された表示装置で説明を行う。また、図１７において、黒のみのラインにおいて、高輝度化駆動法で演算する際に、理論上水平走査期間は０Ｈとなり、黒輝度についても「０」と計算できる。しかし、表示装置として設計する際には、最低限の水平走査期間を設けたほうが、表示した際に好適に表示される場合がある。このことから、本実施例では一番短い水平期間を０．５Ｈとし、この０．５Ｈから算出される黒輝度は５００となる。なお、最低限の水平走査期間の長さはこれに限定されるものではない。また本実施例ではｄＢ＝１２５とする。そしてこの場合、ｉ＝２６及びｉ＝３４番目の走査ラインにフラグを付与する。そしてフラグ付きの走査ラインＮｏ．及びその走査ラインの黒輝度の情報をフラグ保存部５４に送る。図１８の例では、「ｉ＝２６、黒輝度＝２０００」、「ｉ＝３４、黒輝度＝２０００」のデータをフラグ保存部５４に転送する。フラグ付与部５３が本発明のフラグ付与手段に相当する。
【０１０９】
フラグ保存部５４では、フラグ付与部５３から送られてきたフラグが付与された走査ラインＮｏ．及びその走査ラインの黒輝度の値を保存する。また距離計算部５５及び各ライン目標輝度計算部５６からのリクエストに応じて保存データを提供する。また同期信号のvsyncで保存データをクリアにする。
【０１１０】
距離計算部５５では、各走査ラインとフラグ付きラインとの距離を計算し、その結果を各ライン目標輝度決定部５６に転送する。図１８の例を当てはめると、ｉ＝１の１ライン目では、フラグ付きラインが「ｉ＝２６」及び「ｉ＝３４」なので、距離ｄｘ１（ｉ＝２
６）＝２５、ｄｘ２（ｉ＝３４）＝３３のデータを転送する。他の走査ラインも同様に計算する。距離計算部５５が本発明の距離計算手段に相当する。
【０１１１】
各ライン目標輝度決定部５６では、各走査ラインの黒輝度の目標輝度を決定する。本実施例では、輝度段差が大きいラインを見つけて、その段差を徐々に弱めるようする。従って輝度段差が大きいところから遠いほど、黒輝度の目標値は小さくなる。目標輝度は、フラグ付きラインから計算される目標輝度と、現在の黒輝度の値と比較して、目標輝度の値が黒輝度の値より大きい場合、その差分値を加算輝度値として補正データ算出部５８に転送する。黒輝度の値が目標輝度より大きい場合は、差分値＝０として補正データ算出部５８に転送する。各ライン目標輝度決定部５６が本発明の目標輝度決定手段に相当する。
【０１１２】
図１８の例を当てはめると、ｉ＝１の１ライン目では黒輝度Ｂ（１）＝５００であり、ｉ＝２６のフラグ付きラインからの目標黒輝度ＴＢ（ｉ＝１：Ｆｉ＝２６）＝２０００−ｄＢ×ｄｘ１＝２０００−１２５×２５＝−１１２５となる。また同様に１ライン目では、ｉ＝３４のフラグ付きラインからの目標輝度ＴＢ（ｉ＝１：Ｆｉ＝３４）＝２０００−ｄＬ×ｄｘ２＝２０００−１２５×３３＝−２１２５となる。この結果、ｉ＝１の１ライン目では、黒輝度の値（Ｂ（１）＝５００）の方が、フラグ付きラインから算出される目標輝度（ＴＢ（ｉ＝１：Ｆｉ＝２６）＝−１１２５、ＴＢ（ｉ＝１：Ｆｉ＝３４）＝−２１２５）より大きくなる。よって、差分値＝０を補正データ算出部５８に転送する。
【０１１３】
次にｉ＝２０の２０ライン目では、黒輝度Ｂ（２０）＝５００であり、ｉ＝２６のフラグ付きラインからの目標黒輝度ＴＢ（ｉ＝２０：Ｆｉ＝２６）＝２０００−１２５×６＝１２５０となる。また同様に２０ライン目では、ｉ＝３４のフラグ付きラインからの目標輝度ＴＢ（ｉ＝２０：Ｆｉ＝３４）＝２０００−１２５×１４＝２５０となる。この結果、ｉ＝２６のフラグ付きラインから算出される目標輝度（ＴＢ（ｉ＝２０：Ｆｉ＝２６）＝１２５０）の値が最も大きい。この目標輝度（ＴＢ（ｉ＝２０：Ｆｉ＝２６）＝１２５０）と黒輝度（Ｂ（２０）＝５００）との差分値は１２５０−５００＝７５０となることから、差分値＝７５０を補正データ算出部５８に転送する。
【０１１４】
このようにして全ての走査ラインで差分値を算出する。黒輝度Ｂ（ｉ）と目標輝度ＴＢ（ｉ：Ｆｉ）を足し合わせた補正後の黒輝度の分布の結果を図１９に示し、差分値（加算輝度値）の結果を図２０に示す。
【０１１５】
補正データ算出部５８では、各ラインの目標輝度決定部５６から転送された差分値（加算輝度値）の値から、入力映像信号に加算する補正データを算出し、合成部７に転送する。補正データは補正データ算出用ＴＢＬ５７から差分値に応じた補正データを取り出す。図２１に補正データ算出用ＴＢＬ５７に保存されているテーブルを示す。補正データは１走査ラインにつき１つの補正データが算出される。補正データ算出部５８が本発明の補正データ算出手段に相当する。
【０１１６】
合成部７では、補正データ算出部５８から転送された補正データを入力される画像信号に加算して、補正画像データとして表示パネル部１７に転送する。合成部７で加算される補正データは、１走査ラインにおいて１つの補正データが補正データ算出部１１１から転送されて、映像データに加算される。
【０１１７】
遅延回路１５では、水平期間推測部１や各ライン目標輝度決定部５６などで遅延する時間を吸収して、映像データに対し適切なタイミングで出力される。
【０１１８】
リミッタ１４では、合成部７から算出された補正画像データを、所定の値までのデータ量に上限値を制限する。画像データが１０bitの場合、補正画像データの最大値も１０２
３に制限する。なお、最大値を１０２３にリミットしたが、リミットする値はこれに限定するものではない。
【０１１９】
制御部５は、フラグ付与部５３でフラグ付与する走査ラインの検出を開始するタイミングや、各ライン黒輝度保存部５２から黒輝度の値のデータを読み出させる。そして、補正データ算出部５８で補正データを算出させ、所定の走査ラインに属する画像データに補正データが加算されるよう、タイミング制御を行う。なおタイミング制御するためにvsync
及びhsyncが制御部５に入力される。
【０１２０】
以上の構成により、図１７に示す画像を本実施例の表示装置４８に入力すると、図２２に示すように黒輝度の高い走査ラインを中心にゆるやかに黒輝度が低くなっていく。これにより輝度段差がぼやけることになり、輝度段差による妨害感を現象させることができる。一方、黒輝度を維持する走査ラインもあることから、画面全体のコントラスト感を保持できる効果もある。
【０１２１】
なお、本実施例では画面の走査ライン数を垂直６０ラインとしたが、適用できる走査ライン数はこれに限るものではない。また輝度の傾きｄＢ＝１２５としたが、これに限るものではない。ぼやかす範囲を小さくする場合はｄＢを大きくすればよいし、逆にぼやかす範囲を大きくする場合はｄＢを小さくするとよい。
【０１２２】
また以上のように構成される表示装置４８にて、図１７以外の画像の表示を確認した。すると、実施例１と同様に、高輝度化駆動方法による、明るい部分はより明るく且つ全体的に明るくしつつ、背景の黒の輝度段差を緩和し、且つ画面全体のコントラスト感も保持でき、好適な表示画像を得ることができた。
【０１２３】
なお、上記実施例において、補正データを画像データに加算して補正画像データを算出したが、補正データと画像データを乗算して補正画像データを算出してもよい。
【図面の簡単な説明】
【０１２４】
【図１】実施例１に係る表示装置を示す機能ブロック図。
【図２】実施例１に係る各走査ライン（６ライン分）の画像データの最大値を示す図。
【図３】実施例１に係る水平走査期間推測部で推測される各走査ラインの新しい水平走査期間を示す図。
【図４】実施例１に係るＭＡＸ_Ｈ差分値算出部で算出される各走査ラインの差分値を示す図。
【図５】実施例１に係る差分値と仮補正データとの相関関係を示すテーブル。
【図６】実施例１に係る各走査ラインの仮補正データを示す図。
【図７】実施例１に係る各走査ラインの補正データを示す図。
【図８】実施例１に係る各走査ラインの補正画像データの最大値を示す図。
【図９】実施例１に係る高輝度化駆動方法で算出した新しい水平走査期間を示す図。
【図１０】実施例１に係る４、５ライン目の各２つの画素に印加されるパルス電圧を示す図。
【図１１】実施例２に係る表示装置を示す機能ブロック図。
【図１２】実施例２に係る差分値と補正用加算電圧との相関関係を示すテーブル。
【図１３】実施例２に係る４、５ライン目の各２つの画素に印加されるパルス電圧を示す図。
【図１４】実施例３に係る表示装置を示す機能ブロック図。
【図１５】実施例４に係る表示装置を示す機能ブロック図。
【図１６】実施例４に係る水平走査期間の長さと黒輝度の値の関係を示すグラフであり、水平走査期間の長さを黒輝度の値に変換するためのテーブル。
【図１７】実施例４に係る入力画像信号の例を示す図。
【図１８】実施例４に係る各走査ラインの黒輝度の値の分布を示す図。
【図１９】実施例４に係る各走査ラインの補正後の黒輝度値の分布を示す図。
【図２０】実施例４に係る各走査ラインの加算輝度値の分布を示す図。
【図２１】実施例４に補正データ算出用ＴＢＬに保存されているテーブルであり、加算輝度値と補正データの関係を示すテーブル。
【図２２】実施例４に係る輝度段差を補正した表示画像を示す図。
【図２３】電子放出素子の特性を示す図。
【図２４】従来の駆動信号を示すタイムチャート。
【図２５】３行３列のマトリクスの表示器の表示状態を示す図。
【図２６】高輝度化駆動方法での駆動信号を示すタイムチャート。
【図２７】背景の黒の輝度段差が発生した表示画像を示す図。
【符号の説明】
【０１２５】
１     水平走査期間推測部
２     ＭＡＸ_Ｈ部
３     各ラインＨ保存部
４     ＭＡＸ_Ｈ差分値算出部
５     制御部
６，５８      補正データ算出部
７     合成部
８     水平走査期間算出部
９     タイミング制御部
１０   乗算部
１１，２２    変調駆動回路
１２   表示パネル
１３，２３    走査駆動回路
１４，３４    リミッタ
１５   遅延回路
１６，２５，４６     補正処理部
１７，２６    表示パネル部
１８，２７，３８，４８      表示装置
２１   加算電圧算出部
２４   タイミング・電圧制御部
２７   表示パネル部
５１   黒輝度算出ＴＢＬ
５２   各ライン黒輝度保存部
５３   フラグ付与部
５４   フラグ保存部
５５   距離計算部
５６   各ライン目標輝度決定部
５７   補正データ算出用ＴＢＬ
【図１】
2009163097.tif 000005
【図２】
2009163097.tif 000006
【図３】
2009163097.tif 000007
【図４】
2009163097.tif 000008
【図５】
2009163097.tif 000009
【図６】
2009163097.tif 000010
【図７】
2009163097.tif 000011
【図８】
2009163097.tif 000012
【図９】
2009163097.tif 000013
【図１０】
2009163097.tif 000014
【図１１】
2009163097.tif 000015
【図１２】
2009163097.tif 000016
【図１３】
2009163097.tif 000017
【図１４】
2009163097.tif 000018
【図１５】
2009163097.tif 000019
【図１６】
2009163097.tif 000020
【図１７】
2009163097.tif 000021
【図１８】
2009163097.tif 000022
【図１９】
2009163097.tif 000023
【図２０】
2009163097.tif 000024
【図２１】
2009163097.tif 000025
【図２２】
2009163097.tif 000026
【図２３】
2009163097.tif 000027
【図２４】
2009163097.tif 000028
【図２５】
2009163097.tif 000029
【図２６】
2009163097.tif 000030
【図２７】
2009163097.tif 000031